【手続補正書】
【提出日】令和3年4月16日(2021.4.16)
【手続補正１】
【補正対象書類名】特許請求の範囲
【補正対象項目名】全文
【補正方法】変更
【補正の内容】
【特許請求の範囲】
【請求項１】
ユーザ機器(UE)によって実行されるワイヤレス通信の方法であって、
前記UEの動作条件に少なくとも一部基づいてウェイクアップ信号を検出するステップであって、
前記動作条件は、前記UEの拡張DRX(eDRX)サイクルを含む、ステップと、
前記UEによって検出される前記ウェイクアップ信号が前記UEと関連付けられることを、前記ウェイクアップ信号が前記UEを含むUEグループに対するものであることに少なくとも一部基づいて決定するステップであって、
前記UEグループと関連付けられるUEグループ識別子の一部分または前記UEグループと関連付けられるセル識別情報の一部分のうちの少なくとも1つが、前記ウェイクアップ信号のプリアンブルによって特定され、
前記プリアンブルのスクランブリングシーケンスは、システムフレーム番号(SFN)と、前記UEグループ識別子の前記一部分または前記セル識別情報の前記一部分のうちの1つまたは複数とに少なくとも一部基づいている、ステップと、
前記ウェイクアップ信号に少なくとも一部基づいて通信を受信するステップと
を備える、方法。
【請求項２】
前記UEのタイミングまたは周波数のずれの推定に少なくとも一部基づいて、前記ウェイクアップ信号を使用して同期を実行するステップをさらに備える、
請求項1に記載の方法。
【請求項３】
前記ウェイクアップ信号が、同期信号を使用して前記UEの部分的な同期の後で検出される、請求項1に記載の方法。
【請求項４】
前記ウェイクアップ信号が、1つまたは複数の同期信号を使用して前記UEの完全な同期の後で検出される、請求項1に記載の方法。
【請求項５】
前記ウェイクアップ信号を検出するために使用すべき技法を選択するステップをさらに備え、前記技法が、
前記UEの同期が実行されない第1の同期技法、
前記UEの部分的な同期が実行される第2の同期技法、または
前記UEの完全な同期が実行される第3の同期技法
のうちの1つを含む、
請求項1に記載の方法。
【請求項６】
前記UEグループ識別子の前記一部分が前記UEグループ識別子の全体を含み、または、
前記セル識別情報の前記一部分が前記セル識別情報の全体を含む、請求項1に記載の方法。
【請求項７】
前記プリアンブルが、2つ以上のシンボルに対応する長さを伴うシーケンスを使用して符号化される、請求項1に記載の方法。
【請求項８】
前記プリアンブルの位相シフトが、前記UEグループ識別子の前記一部分を特定する、請求項1に記載の方法。
【請求項９】
前記システムフレーム番号が、基地局のシステムフレーム番号である、請求項1に記載の方法。
【請求項１０】
前記ウェイクアップ信号が、少なくとも1つの基準信号に割り振られる1つまたは複数のリソースをパンクチャリングする、請求項1に記載の方法。
【請求項１１】
前記ウェイクアップ信号が、狭帯域内の複数のリソースブロックにわたって繰り返されるシーケンスからなる、請求項1に記載の方法。
【請求項１２】
前記ウェイクアップ信号の前記プリアンブルが、ウェイクアップ信号シーケンスを含む、請求項1に記載の方法。
【請求項１３】
ワイヤレス通信のためのユーザ機器(UE)であって、
メモリと、
前記メモリに動作可能に結合された1つまたは複数のプロセッサと
を備え、前記メモリおよび前記1つまたは複数のプロセッサが、
前記UEの動作条件に少なくとも一部基づいてウェイクアップ信号を検出することであって、
前記動作条件は、前記UEの拡張DRX(eDRX)サイクルを含む、検出することと、
前記UEによって検出される前記ウェイクアップ信号が前記UEと関連付けられることを、前記ウェイクアップ信号が前記UEを含むUEグループに対するものであることに少なくとも一部基づいて決定することであって、
前記UEグループと関連付けられるUEグループ識別子の一部分または前記UEグループと関連付けられるセル識別情報の一部分のうちの少なくとも1つが、前記ウェイクアップ信号のプリアンブルによって特定され、
前記プリアンブルのスクランブリングシーケンスは、システムフレーム番号(SFN)と、前記UEグループ識別子の前記一部分または前記セル識別情報の前記一部分のうちの1つまたは複数とに少なくとも一部基づいている、決定することと、
前記ウェイクアップ信号に少なくとも一部基づいて通信を受信することと
を行うように構成される、UE。
【請求項１４】
前記1つまたは複数のプロセッサがさらに、
前記UEのタイミングまたは周波数のずれの推定に少なくとも一部基づいて、前記ウェイクアップ信号を使用して同期を実行するように構成される、請求項13に記載のUE。
【請求項１５】
前記ウェイクアップ信号が、同期信号を使用して前記UEの部分的な同期の後で検出される、請求項13に記載のUE。
【請求項１６】
前記ウェイクアップ信号が、1つまたは複数の同期信号を使用して前記UEの完全な同期の後で検出される、請求項13に記載のUE。
【請求項１７】
前記1つまたは複数のプロセッサがさらに、
前記UEの動作条件またはパラメータに少なくとも一部基づいて前記ウェイクアップ信号を検出するために使用すべき技法を選択するように構成され、前記技法が、
前記UEの同期が実行されない第1の同期技法、
前記UEの部分的な同期が実行される第2の同期技法、または
前記UEの完全な同期が実行される第3の同期技法
のうちの1つを含む、請求項13に記載のUE。
【請求項１８】
前記プリアンブルが、2つ以上のシンボルに対応する長さを伴うシーケンスを使用して符号化される、請求項13に記載のUE。
【請求項１９】
前記プリアンブルの位相シフトが、前記UEグループ識別子の前記一部分を特定する、請求項13に記載のUE。
【請求項２０】
前記プリアンブルの前記スクランブリングシーケンスが、前記UEグループ識別子の前記一部分および/または前記セル識別情報の前記一部分を特定する、請求項13に記載のUE。
【請求項２１】
前記システムフレーム番号が、基地局のシステムフレーム番号である、請求項20に記載のUE。
【請求項２２】
前記ウェイクアップ信号が、少なくとも1つの基準信号に割り振られる1つまたは複数のリソースをパンクチャリングする、請求項13に記載のUE。
【請求項２３】
前記ウェイクアップ信号が、狭帯域内の複数のリソースブロックにわたって繰り返されるシーケンスからなる、請求項13に記載のUE。
【請求項２４】
前記UEグループ識別子の前記一部分が、前記UEグループ識別子の全体を含む、請求項13に記載のUE。
【請求項２５】
前記セル識別情報の前記一部分が、前記セル識別情報の全体を含む、請求項13に記載のUE。
【請求項２６】
ワイヤレス通信のための1つまたは複数の命令を記憶したコンピュータ可読記録媒体であって、前記1つまたは複数の命令が、
ユーザ機器(UE)の1つまたは複数のプロセッサによって実行されると、前記1つまたは複数のプロセッサに、
前記UEの動作条件に少なくとも一部基づいてウェイクアップ信号を検出することであって、
前記動作条件は、前記UEの拡張DRX(eDRX)サイクルを含む、検出することと、
前記UEによって検出される前記ウェイクアップ信号が前記UEと関連付けられることを、前記ウェイクアップ信号が前記UEを含むUEグループに対するものであることに少なくとも一部基づいて決定することであって、
前記UEグループと関連付けられるUEグループ識別子の一部分または前記UEグループと関連付けられるセル識別情報の一部分のうちの少なくとも1つが、前記ウェイクアップ信号のプリアンブルによって特定され、
前記プリアンブルのスクランブリングシーケンスは、システムフレーム番号(SFN)と、前記UEグループ識別子の前記一部分または前記セル識別情報の前記一部分のうちの1つまたは複数とに少なくとも一部基づいている、決定することと、
前記ウェイクアップ信号に少なくとも一部基づいて通信を受信することと
を行わせる1つまたは複数の命令を備える、コンピュータ可読記録媒体。
【請求項２７】
前記プリアンブルが、2つ以上のシンボルに対応する長さを伴うシーケンスを使用して符号化される、請求項26に記載のコンピュータ可読記録媒体。
【請求項２８】
前記1つまたは複数の命令がさらに、前記1つまたは複数のプロセッサに、
前記UEのタイミングまたは周波数のずれの推定に少なくとも一部基づいて、前記ウェイクアップ信号を使用して同期を実行すること
を行わせる1つまたは複数の命令を備える、請求項26に記載のコンピュータ可読記録媒体。
【請求項２９】
前記UEグループ識別子の前記一部分が、前記UEグループ識別子の全体を含む、請求項26に記載のコンピュータ可読記録媒体。
【請求項３０】
前記セル識別情報の前記一部分が、前記セル識別情報の全体を含む、請求項26に記載のコンピュータ可読記録媒体。
【請求項３１】
ワイヤレス通信のための装置であって、
前記装置の動作条件に少なくとも一部基づいてウェイクアップ信号を検出するための手段であって、
前記動作条件は、前記装置の拡張DRX(eDRX)サイクルを含む、手段と、
前記装置によって検出される前記ウェイクアップ信号が前記装置と関連付けられることを、前記ウェイクアップ信号が前記装置を含むグループに対するものであることに少なくとも一部基づいて決定するための手段であって、
前記グループと関連付けられるグループ識別子の一部分または前記グループと関連付けられるセル識別情報の一部分のうちの少なくとも1つが、前記ウェイクアップ信号のプリアンブルによって特定され、
前記プリアンブルのスクランブリングシーケンスは、システムフレーム番号(SFN)と、前記グループ識別子の前記一部分または前記セル識別情報の前記一部分のうちの1つまたは複数とに少なくとも一部基づいている、手段と、
前記ウェイクアップ信号に少なくとも一部基づいて通信を受信するための手段と
を備える、装置。
【請求項３２】
前記プリアンブルが、2つ以上のシンボルに対応する長さを伴うシーケンスを使用して符号化される、請求項31に記載の装置。
【請求項３３】
前記装置のタイミングまたは周波数のずれの推定に少なくとも一部基づいて、前記ウェイクアップ信号を使用して同期を実行するための手段をさらに備える、請求項31に記載の装置。
【請求項３４】
前記グループ識別子の前記一部分が、前記グループ識別子の全体を含み、
前記セル識別情報の前記一部分が、前記セル識別情報の全体を含む、請求項31に記載の装置。